(57)【要約】送液装置は、一次側ポンプ及び二次側ポンプを有し、一次側ポンプの出口部と二次側ポンプの入口部とが逆止弁を介して接続されている。一次側ポンプのポンプ室内の圧力を検出する一時側ポンプ圧力センサ及び二次側ポンプのポンプ室内の圧力を検出する二次側圧力センサが設けられており、二次側ポンプの吸入動作が終了した後、一次側ポンプの吐出動作が終了する前に、一次側圧力センサの信号と二次側圧力センサの信号を取り込み、取り込んだ信号に基づいて、一次側ポンプのポンプ室内の圧力が二次側ポンプのポンプ室内の圧力と略同一になるまで、一次側ポンプを吐出側へ駆動する予圧動作を実行するようになっている。予圧動作に割り当てる時間は、予め設定された送液流量に基づいて決定され、予圧時間決定部により予圧時間が決定されたときに、予め用意された取込頻度データに基づいて取込頻度が決定される。
2017094097.tif 000002
【特許請求の範囲】
【請求項１】
ポンプ室内においてプランジャ先端を一方向へ駆動することにより液の吸入と吐出を行なう一次側ポンプ及び二次側ポンプを有し、前記一次側ポンプの出口部と前記二次側ポンプの入口部とが逆止弁を介して接続されているポンプユニットと、
前記一次側ポンプのポンプ室内の圧力を検出する一時側ポンプ圧力センサと、
前記二次側ポンプのポンプ室内の圧力を検出する二次側圧力センサと、
前記一次側ポンプの吐出動作中に前記二次側ポンプの吸入動作を実行し、前記二次側ポンプの吐出動作中に、前記一次側ポンプの吸入動作を実行するように、前記一次側ポンプ及び前記二次側ポンプの動作を制御する駆動制御部と、
前記一次側ポンプの吸入動作が終了した後、前記二次側ポンプの吐出動作が終了する前に、前記一次側圧力センサの信号と前記二次側圧力センサの信号を取り込み、取り込んだ信号に基づいて、前記一次側ポンプのポンプ室内の圧力が前記二次側ポンプのポンプ室内の圧力と略同一になるまで、前記一次側ポンプを吐出側へ駆動する予圧動作を実行する予圧動作部と、
前記予圧動作に割り当てる時間を予め設定された送液流量に基づいて決定する予圧時間決定部と、を備え、
前記予圧動作部は、前記予圧時間決定部により決定された予圧時間に依存して決定される取込頻度で前記一次側圧力センサ及び二次側圧力センサから信号を取り込むように構成されている送液装置。
【請求項２】
前記予圧動作中に前記一次側圧力センサ及び前記二次側圧力センサから信号を取り込む取込頻度と前記予圧動作に割り当てられる予圧時間の長さとの関係を取込頻度データとして保持する取込頻度データ保持部と、
前記予圧時間決定部により前記予圧時間が決定されたときに、前記取込頻度データ保持部に保持された前記取込頻度データに基づいて取込頻度を決定する取込頻度決定部と、をさらに備え、
前記予圧動作部は、前記取込頻度決定部により決定された取込頻度で前記一次側圧力センサ及び二次側圧力センサから信号を取り込むように構成されている請求項１に記載の送液装置。
【請求項３】
前記予圧動作中に前記一次側圧力センサ及び前記二次側圧力センサから取り込まれた信号の差分をとり、その差分値が予め設定された所定範囲内にあるか否かを判定する予圧判定部をさらに備え、
前記予圧動作部は、前記両センサから取り込まれた信号の差分値が前記所定範囲内に収まったときに前記予圧動作を完了する請求項１又は２に記載の送液装置。
【発明の詳細な説明】
【技術分野】
【０００１】
本発明は、２台のプランジャポンプを用いて送液を行なう送液装置に関するものである。
【背景技術】
【０００２】
液体クロマトグラフにおいて移動相を送液するための送液装置として、２つのプランジャポンプが直列に接続されているものがある。前段側のプランジャポンプ（一次側ポンプ）と後段側のプランジャポンプ（二次側ポンプ）との間には逆止弁が設けられており、一次側ポンプが液の吐出動作を行なっている間はその逆止弁が開き、二次側ポンプを介して一次側ポンプからの液が送液される。一次側ポンプが液の吐出動作を行なっている間、二次側ポンプは液の吸入動作を行ない、一次側ポンプから吐出された液の一部が二次側ポンプによって吸入されるため、二次側ポンプの出口部からは一次側ポンプの吐出流量から二次側ポンプの吸入流量を差し引いた分の流量の液が送液される。【０００３】
一次側ポンプの吐出動作が終了した後、一次側ポンプと二次側ポンプの吸入・吐出動作が切り替わり、二次側ポンプが吐出動作を行なっている間、一次側ポンプは吸入動作を行なう。このとき、一次側ポンプと二次側ポンプの間の逆止弁は閉じ、二次側ポンプの出口部を通じて送液される液の流量は二次側ポンプの吐出流量となる。かかる動作により、二次側ポンプの出口部からは連続的に液が送液される。【０００４】
一次側ポンプによる液の吸入動作が終了した後、すぐに一次側ポンプと二次側ポンプの吸入・吐出動作を切り替えると、直前まで吸入動作を行なっていた一次側ポンプのポンプ室内の圧力は二次側ポンプのポンプ室内の圧力よりも低くなっているため、一次側ポンプのポンプ室内の圧力が二次側ポンプのポンプ室内の圧力以上になるまで逆止弁が開かず、流量変動（脈流）が発生する。【０００５】
そこで、一次側ポンプのポンプ室内の圧力と二次側ポンプのポンプ室内の圧力を検出する圧力センサを設け、一次側ポンプにおける液の吸入動作が終了した後、二次側ポンプにおける吐出動作が終了するまでの間に、一次側ポンプのポンプ室内の圧力が二次側ポンプのポンプ室内の圧力と同じ圧力になるまで一次側ポンプを吐出側へ駆動する予圧動作を行なうことが提案され、実施もされている（特許文献１参照。）。
【先行技術文献】
【特許文献】
【０００６】
【特許文献１】米国特許第５６３７２０８号公報
【発明の概要】
【発明が解決しようとする課題】
【０００７】
上記の予圧動作においては、一般に、一次側ポンプと二次側ポンプのポンプ室内の圧力を検出する２つの圧力センサの検出信号を一定時間間隔で取り込んでその差分をとり、その差分値が予め設定された所定範囲内に収まるまで一次側ポンプのステッピングモータをフィードバック制御することが考えられる。【０００８】
しかし、圧力センサの検出信号にはノイズが含まれており、そのノイズが大きいと、一次側ポンプのポンプ室内の圧力が二次側ポンプのポンプ室内の圧力に達していない状態で予圧動作を終了してしまうという問題や、予圧動作中に一次側ポンプのポンプ室内の圧力が二次側ポンプのポンプ室内の圧力を超えてしまうという問題が起こり、脈流が発生してしまう。【０００９】
そこで、本発明は、圧力センサから取り込まれる検出信号のノイズを低減して脈流の発生を防止することを目的とするものである。
【課題を解決するための手段】
【００１０】
本発明に係る送液装置は、ポンプ室内においてプランジャ先端を一方向へ駆動することにより液の吸入と吐出を行なう一次側ポンプ及び二次側ポンプを有し、一次側ポンプの出口部と二次側ポンプの入口部とが逆止弁を介して接続されているポンプユニットと、一次側ポンプのポンプ室内の圧力を検出する一時側ポンプ圧力センサと、二次側ポンプのポンプ室内の圧力を検出する二次側圧力センサと、一次側ポンプの吐出動作中に二次側ポンプの吸入動作を実行し、二次側ポンプの吐出動作中に、一次側ポンプの吸入動作を実行するように、一次側ポンプ及び二次側ポンプの動作を制御する駆動制御部と、一次側ポンプの吸入動作が終了した後、二次側ポンプの吐出動作が終了する前に、一次側圧力センサの信号と二次側圧力センサの信号を取り込み、取り込んだ信号に基づいて、一次側ポンプのポンプ室内の圧力が二次側ポンプのポンプ室内の圧力と略同一になるまで、一次側ポンプを吐出側へ駆動する予圧動作を実行する予圧動作部と、予圧動作に割り当てる時間を予め設定された送液流量に基づいて決定する予圧時間決定部と、を備えている。予圧動作部は、予圧時間決定部により決定された予圧時間に依存して決定される取込頻度で一次側圧力センサ及び二次側圧力センサから信号を取り込むように構成されている。【００１１】
予圧動作に割り当てられる時間（予圧時間）は、設定された送液流量に応じて決まるものである。送液流量が小さい場合には、二次側ポンプの駆動速度が遅く二次側ポンプの吐出時間が長くなるため、吸入動作完了後の予圧時間を長くとることができる。逆に、送液流量が大きい場合には、二次側ポンプの駆動速度が速く二次側ポンプの吐出時間も短くなるため、吸入動作完了後の予圧時間を長くとることができない。【００１２】
予圧時間が短い場合、一次側ポンプのポンプ室内の圧力を、短時間で、二次側ポンプのポンプ室内の圧力に到達させる必要があるため、プランジャを早く動作させる必要がある。したがって、予圧動作の際、一次側圧力センサの検出信号は急速に上昇するため、精度よくフィードバック制御を行なうためには、圧力センサの信号を高速で取り込む必要がある。【００１３】
他方、予圧時間を長くとることができる場合は、その時間内に一次側ポンプのポンプ室内の圧力を二次側ポンプ室のポンプ室内の圧力に到達させればよいため、一次側ポンプのプランジャをゆっくり動作させることができる。したがって、予圧動作の際、一次側圧力センサの検出信号は緩やかに上昇するため、圧力センサの信号をさほど高速で取り込まなくても、フィードバック制御の精度に大きな影響はない。【００１４】
しかし、いかなる送液条件によっても予圧動作のフィードバック制御を精度よく行なうため、最も予圧時間の短い場合に対応した頻度で圧力センサの検出信号が取り込まれるようになっていることが一般的である。【００１５】
ここで、圧力センサの検出信号は微小変動している。信号の取込頻度（分解能）が低いと、微小変動している信号が平均化されて取り込まれるため、取り込んだ信号のノイズは小さい。しかし、信号の取込頻度が高いと、取り込まれた信号は微小変動の影響を受けやすくなり、ノイズが大きくなる。圧力センサから取り込まれた信号のノイズが大きいと、一次側ポンプのポンプ室内の圧力が二次側ポンプのポンプ室内の圧力に到達していないにもかかわらず到達していると判定されたり、逆に、一次側ポンプのポンプ室内の圧力が二次側ポンプのポンプ室内の圧力に到達しているにもかかわらず到達していないと判定されたりして、予圧動作を正常に行なうことができず、脈動の原因となる。したがって、予圧動作時に、圧力センサからの信号の取込頻度を、必要以上に高くしないことが重要である。
【発明の効果】
【００１６】
以上のことに鑑み、本発明に係る送液装置では、予圧動作に割り当てる時間を予め設定された送液流量に基づいて決定する予圧時間決定部を備え、予圧動作部は、予圧時間決定部により決定された予圧時間に依存して決定される取込頻度で一次側圧力センサ及び二次側圧力センサから信号を取り込むように構成されているので、予圧時間に応じた取込頻度で一次側及び二次側の圧力センサからの信号の取込が行われ、必要以上に高い頻度で信号の取込が行われることがない。これにより、信号の取込頻度に起因したノイズの低減を図ることができる。
【図面の簡単な説明】
【００１７】
【図１】送液装置の一実施例の構成を概略的に示す断面構成図である。
【図２】同実施例の構成を概略的に示すブロック図である。
【図３】同実施例の初期設定動作を示すフローチャートである。
【図４】同実施例の一次側ポンプの動作制御を示すフローチャートである。
【図５】同実施例の一次側ポンプ及び二次側ポンプの動作とその動作に応じた一次側圧力センサの検出値（Ｐ１）及び二次側圧力センサの検出値（Ｐ２）を示すグラフである。
【発明を実施するための形態】
【００１８】
本発明に係る送液装置の好ましい実施態様は、予圧動作中に一次側圧力センサ及び二次側圧力センサから信号を取り込む取込頻度と予圧動作に割り当てられる予圧時間の長さとの関係を取込頻度データとして保持する取込頻度データ保持部と、予圧時間決定部により予圧時間が決定されたときに、取込頻度データ保持部に保持された取込頻度データに基づいて取込頻度を決定する取込頻度決定部と、をさらに備え、予圧動作部は、取込頻度決定部により決定された取込頻度で前記一次側圧力センサ及び二次側圧力センサから信号を取り込むように構成されているものである。
【００１９】
本発明に係る送液装置のさらに好ましい実施態様は、予圧動作中に一次側圧力センサ及び二次側圧力センサから取り込まれた信号の差分をとり、その差分値が予め設定された所定範囲内にあるか否かを判定する予圧判定部をさらに備え、予圧動作部は、両センサから取り込まれた信号の差分値が所定範囲内に収まったときに予圧動作を完了するように構成されているものである。
【００２０】
以下、本発明に係る送液装置の一実施例について図面を用いて説明する。
【００２１】
まず、図１を用いて、送液装置の構成について説明する。
【００２２】
この実施例の送液装置は、一次側ポンプ２と二次側ポンプ２２を備えている。一次側ポンプ２と二次側ポンプ２２は互いに直列に接続されている。
【００２３】
一次側ポンプ２は、内部にポンプ室４を有するポンプヘッド３と、ポンプボディ６を備えている。ポンプヘッド３はポンプボディ６の先端に設けられている。ポンプヘッド３には、ポンプ室４に液を流入させる入口部とポンプ室４から液を流出させる出口部が設けられている。ポンプヘッド３の入口部に、液の逆流を防止する逆止弁１６が設けられている。
【００２４】
ポンプ室４にはプランジャ１０の先端が摺動可能に挿入されている。プランジャ１０の基端はポンプボディ６内に収容されたクロスヘッド８によって保持されている。クロスヘッド８は送りネジ１４の回転によりポンプボディ６内で一方向（図において左右方向）に移動し、それに伴ってプランジャ１０が一方向に移動する。ポンプボディ６の基端部に送りネジ１４を回転させる一次側ポンプ駆動用モータ１２が設けられている。一次側ポンプ駆動用モータ１２はステッピングモータである。
【００２５】
二次側ポンプ２２は、内部にポンプ室２４を有するポンプヘッド２３と、ポンプボディ２８を備えている。ポンプヘッド２３はポンプボディ２８の先端に設けられている。ポンプヘッド２３には、ポンプ室２４に液を流入させる入口部とポンプ室２４から液を流出させる出口部が設けられている。ポンプヘッド２３の入口部に、液の逆流を防止する逆止弁２６が設けられている。
【００２６】
ポンプ室２４にはプランジャ３２の先端が摺動可能に挿入されている。プランジャ３２の基端はポンプボディ２８内に収容されたクロスヘッド３０によって保持されている。クロスヘッド３０は送りネジ３６の回転によりポンプボディ２８内で一方向（図において左右方向）に移動し、それに伴ってプランジャ３２が一方向に移動する。ポンプボディ２８の基端部に送りネジ３６を回転させる二次側ポンプ駆動用モータ３４が設けられている。二次側ポンプ駆動用モータ３４はステッピングモータである。
【００２７】
ポンプヘッド３の入口部は、送液対象の液を貯留する容器（図示は省略）に、流路を介して接続されている。ポンプヘッド２３の入口部は、連結流路１８を介して、ポンプヘッド３の出口部と接続されている。連結流路１８上にポンプ室４内の圧力（Ｐ１）を検出する一次側圧力センサ２０が設けられている。
【００２８】
ポンプヘッド２３の出口部には出口流路３８が接続されている。出口流路３８は、例えば液体クロマトグラフの分析流路に通じている。出口流路３８上にポンプ室２４内の圧力（Ｐ２）を検出する二次側圧力センサ４０が設けられている。
【００２９】
一次側ポンプ駆動用モータ１２及び二次側ポンプ駆動用モータ３４の動作は、制御部４２により制御される。一次側圧力センサ２０及び二次側圧力センサ４０で得られた検出信号は制御部４２に取り込まれる。制御部４２は、後述する予圧動作時に一次側圧力センサ２０及び二次側圧力センサ４０からの信号に基づいて一次側ポンプ駆動用モータ１２の動作を制御する。
【００３０】
この送液装置の動作を概略的に説明すると、一次側ポンプ２による液の吐出動作が開始されると、逆止弁１６が閉じて逆止弁２６が開き、ポンプヘッド３の出口部からの液が連結流路１８、逆止弁２６及びポンプ室２４を通じて出口流路３８に吐出される。このとき、二次側ポンプ２２は一次側ポンプ２の吐出流量よりも小さい流量で吸入動作を行ない、ポンプヘッド３から吐出された液の一部がポンプ室２４内に貯留される。
【００３１】
一次側ポンプ２による液の吐出動作が終了すると、二次側ポンプ２２による液の吐出動作が開始される。二次側ポンプ２２による液の吐出動作が開始されると、ポンプ室２４内の圧力がポンプ室４内の圧力よりも高くなることによって逆止弁２６が閉じられる。二次側ポンプ２２による液の吐出動作が行われている間に、一次側ポンプ２では液の吸入動作及び予圧動作が行われる。二次側ポンプ２２による液の吐出動作が終了すると、一次側ポンプ２による液の吐出動作が開始される。
【００３２】
一次側ポンプ２による予圧動作は、二次側ポンプ２２による液の吐出動作が終了した後、一次側ポンプ２による液の吐出動作が開始される際の送液不良の発生を防止するために行なわれるものである。すなわち、一次側ポンプ２の吸入動作が終了した直後は、ポンプ室４内の圧力はポンプ室２４内の圧力よりも低くなっている。そのため、一次側ポンプ２の吸入動作が終了した直後に、一次側ポンプ２と二次側ポンプ２２の吸入・吐出動作を切り替えても、ポンプ室４内の圧力がポンプ室２４内の圧力以上になるまで、一次側ポンプ２からの送液が行われず、それによってこの送液装置の送液流量が急激に低下し、送液不良となる。
【００３３】
そこで、二次側ポンプ２２の吐出動作が終了する前に、一次側ポンプ２はポンプ室４内の圧力をポンプ室２４内の圧力と同じ圧力にしておくための予圧動作を実行する。この予圧動作において、制御部４２は、一次側圧力センサ２０からの信号と二次側圧力センサ４０からの信号を取り込み、ポンプ室４内の圧力がポンプ室２４内の圧力と同一になるように、一次側ポンプ２をフィードバック制御しながら吐出駆動するようになっている。
【００３４】
制御部４２の構成について、図２を用いてさらに詳細に説明する。
【００３５】
制御部４２は、装置に設けられた専用のコンピュータ又は汎用のパーソナルコンピュータにより実現されるものである。制御部４２は、流量設定部４４、駆動制御部４６、予圧動作部４７、予圧時間決定部４８、取込頻度決定部５０、取込頻度データ保持部５２、信号取込部５４及び予圧判定部５６を備えている。流量設定部４４、駆動制御部４６、予圧動作部４７、予圧時間決定部４８、取込頻度決定部５０、信号取込部５４及び予圧判定部５６は、制御部４２に設けられた記憶装置に格納されたプログラムが実行されることで得られる機能である。取込頻度データ保持部５２は制御部４２に設けられた記憶装置の一部の領域によって実現される機能である。
【００３６】
流量設定部４４は、ユーザにより入力された情報に基づいて送液装置の送液流量を設定する。
【００３７】
駆動制御部４６は、出口流路３８を通じて送液される液の流量が、流量設定部４４により設定された送液流量の設定値になるように、一次側ポンプ駆動用モータ１２及び二次側ポンプ駆動用モータ３４の動作を制御する。
【００３８】
予圧動作部４７は、二次側ポンプ２２の吐出動作中に、一次側ポンプ２に予圧動作を実行させる。予圧動作は、後述する予圧時間決定部４８により決定された予圧時間内に実行する。予圧動作とは、吸入動作後の一次側ポンプ２のプランジャ１０を吐出方向へ移動させることにより、ポンプ室４内の圧力を上昇させる動作をいう。
【００３９】
予圧時間決定部４８は、流量設定部４４により送液流量が設定された際に、その設定値に基づいて予圧動作に割り当てる時間を決定する。二次側ポンプ２２の駆動速度は送液流量の設定値によって決まるものである。したがって、送液流量が大きければそれだけ二次側ポンプ２２の駆動速度が速くなり、二次側ポンプ２２の吐出動作に要する時間が短くなる。
【００４０】
一次側ポンプ２は、二次側ポンプ２２の吐出動作中に、吸入動作と予圧動作とを実行する。この実施例においては、一次側ポンプ２が最大の駆動速度で吸入動作を行なうようになっているため、一次側ポンプ２の吸入動作に要する時間は一定である。したがって、一次側ポンプ２の予圧動作に割り当てられる時間（予圧時間）は、二次側ポンプ２２の吐出動作に要する時間から一次側ポンプ２の吸入動作に要する時間（一定）を差し引いた時間となる。
【００４１】
取込頻度決定部５０は、予圧時間決定部４８により決定された予圧時間と予め用意された取込頻度データに基づいて、予圧時間中における一次側圧力センサ２０及び二次側圧力センサ４０からの信号の取込頻度（取込速度）を決定する。取込頻度データは取込頻度データ保持部５２に保持されている。
【００４２】
取込頻度データは、予圧時間が長いほど取込頻度が低く、予圧時間が短いほど取込頻度が高くなるように設定されている。取込頻度データは、実験により得られたデータに基づいて作成されたものである。具体的には、取込頻度データは、取込頻度が、ノイズ値が常に所定の許容値以下となる取込頻度であって、一次側ポンプのモータが最小回転角度だけ回転するのに要する時間よりも短い時間間隔で信号が取り込まれるような取込頻度となるように作成されている。ノイズの許容値とは、例えば、後述する予圧判定において一次側圧力センサ２０と二次側圧力センサ４０の差分値と比較される所定範囲における最大値である。一次側ポンプのモータの最小回転角度に要する時間は、圧縮溶媒の圧縮率や圧縮体積、送液圧力により予想される最大の予圧必要体積と予圧時間から求められる。
【００４３】
信号取込部５４は、一次側ポンプ２の予圧動作時に、取込頻度決定部５０により決定された取込頻度で一次側圧力センサ２０及び二次側圧力センサ４０の信号を取り込む。
【００４４】
予圧判定部５６は、信号取込部５４が取り込んだ一次側圧力センサ２０と二次側圧力センサ４０の信号の差分をとり、その差分値が所定範囲内にあるか否かを判定する。所定範囲とは、例えば０から０．０５ＭＰａまでである。予圧動作部４７は、予圧判定部５６により、一次側圧力センサ２０と二次側圧力センサ４０の信号の差分値が所定範囲内にあると判定されたときに、予圧動作を終了する。
【００４５】
次に、この送液装置の初期設定動作について図３のフローチャートを用いて説明する。
【００４６】
初期設定では、まずユーザからの入力情報に基づいて、出口流路３８を通じて送液する流量を設定する。送液流量が設定されると、その流量に基づいて一次側ポンプ２の予圧動作に割り当てられる予圧時間が決定される。予圧時間が決定されると、その予圧時間内に予圧動作を完了するための一次側ポンプ用モータ１２の駆動速度（予圧速度）が決定される。予圧速度が決定されると、その予圧速度に基づいて一次側圧力センサ２０及び二次側圧力センサ４０からの信号の取込頻度が決定される。
【００４７】
次に、送液中の一次側ポンプの動作について、図４及び図５を用いて説明する。なお、図５において、上側のグラフは、一次側ポンプ（太線）及び二次側ポンプ（細線）のプランジャ速度の時間変化を示しており、下側のグラフは、一次側圧力センサ２０の検出圧力Ｐ１と二次側圧力センサ４０の検出圧力Ｐ２の時間変化を示している。
【００４８】
二次側ポンプ２２は、設定された送液流量に応じた一定の速度で吸入動作と吐出動作を連続的に繰返し実行する。二次側ポンプ２２が吐出動作を開始すると、一次側ポンプ２は液の吸入動作を開始する。この吸入動作は、設計上可能な最大限の速度でプランジャ１０を吸入側へ駆動することにより行なう。
【００４９】
一次側ポンプ２の吸入動作が終了した後、予圧動作を開始する。まず、一次側ポンプ２の吐出動作を開始する。具体的には、プランジャ１０を、予圧動作に割り当てられた時間（予圧時間）に基づいて設定された速度（予圧速度）で吐出側（図１において右側）へ駆動する。吐出動作を開始した後は、予め設定された取込頻度で一次側圧力センサ２０及び二次側圧力センサ４０からの信号を取り込み、その都度、それらの信号強度の差分をとる。その差分値が予め設定された所定範囲内に収まるまで吐出動作を続行し、差分値が所定範囲内に収まったときに、その吐出動作を終了する。これにより、一次側ポンプ２のポンプ室４内の圧力（Ｐ１）と二次側ポンプ２２のポンプ室２４内の圧力（Ｐ２）が略同一となる。
【００５０】
上記の予圧動作が完了した後、一次側ポンプ２の吐出タイミング、すなわち一次側ポンプ２と二次側ポンプ２２の吸入・吐出動作を切り替えるタイミングとなったときに、プランジャ１０を、設定流量に応じた所定の速度で吐出側へ駆動し、送液を行なう。二次側ポンプ２２では、一次側ポンプ２よりも小さい流量での吸入動作が行われ、一次側ポンプ２から吐出された液の一部がポンプ室２４に貯留されていく。そして、一次側ポンプ２からの吐出流量から二次側ポンプ２２の吸入流量を差し引いた分の流量が、出口流路３８を通じて行なわれる送液の流量となる。
【符号の説明】
【００５１】
２      一次側ポンプ
３，２３      ポンプヘッド
４，２４      ポンプ室
６，２８      ポンプボディ
８，３０      クロスヘッド
１０，３２      プランジャ
１２，３４      モータ
１４，３６      送りネジ
１６，２６      逆止弁
２０，４０      圧力センサ
４２      制御部
４４      流量設定部
４６      駆動制御部
４７      予圧動作部
４８      予圧時間決定部
５０      取込頻度決定部
５２      取込頻度データ保持部
５４      信号取込部
５６      予圧判定部
【図１】
2017094097.tif 000003
【図２】
2017094097.tif 000004
【図３】
2017094097.tif 000005
【図４】
2017094097.tif 000006
【図５】
2017094097.tif 000007
【国際調査報告】
2017094097.tif 000008
2017094097.tif 000009
2017094097.tif 000010